(57)【要約】【課題】  雌爪の懐である空間部に粉体や微粒体の進入を阻止し、粉体や微粒体による雌爪の懐の目詰まりで雌雄爪の咬合機能を不能とする問題点を解消した雌雄咬合型の合成樹脂製咬合具を提供する。【解決手段】  雌雄咬合型の合成樹脂製咬合具において、雄爪２の左右鈎部２ｃ、２ｄを係合するために雌爪１に備えている左右係合片３ａ、３ｂを、その先端部分４が合わさるよう対接若しくはそれに近い状態で形成し、この左右係合片３ａ、３ｂの前記雄爪２側に対面する背面３ｃ、３ｄは窪みを形成しており、この窪みは前記雄爪２の先端幅より広い幅を持たせた。【選択図】        図１
2005270475.tif 000002
【特許請求の範囲】
【請求項１】
左右に鈎部を備えた雄爪と、この雄爪の左右鈎部を係合するための左右係合片を備えた雌爪とからなり袋体の開口部を再開閉する合成樹脂製咬合具において、前記雌爪の左右係合片の先端部分が合わさるよう対接若しくはそれに近い状態で形成され、この左右係合片の前記雄爪側に対面する背面は窪みを形成しており、この窪みは前記雄爪の先端幅より広い幅を持たせていることを特徴とする合成樹脂製咬合具。
【請求項２】
雄爪の先端角度Ａと、雌爪の窪みの角度Ｂとは、Ａ≦Ｂの角度関係とした請求項１に記載の合成樹脂製咬合具。
【請求項３】
請求項１乃至２に記載の合成樹脂製咬合具において、雄爪の先端が雄爪の基部の幅範囲に位置し、かつ雌爪の左右係合片の先端部分が合わさるよう対接若しくはそれに近い状態で対面する部位は、雄爪の基部の幅範囲の延長線上に位置していることを特徴とする合成樹脂製咬合具。
【発明の詳細な説明】
【技術分野】
【０００１】
本発明は、袋体の開口部を再開閉するための雌雄咬合型の合成樹脂製咬合具に関し、特に包入物が粉体や微粒体の袋体に適しているものである。
【背景技術】
【０００２】
開口部の内側に雌雄咬合型の合成樹脂製咬合具を設けた合成樹脂製袋体は咬合具の再開閉機能によって包入物の出し入れの際に開口部の開閉の容易性や密封性で便利に使用されている。この合成樹脂製咬合具は図４で示すように、左右に係合片３０ａ、３０ｂを備えた雌爪１０と、この雌爪１０のいわゆる懐と称している空間部５０内に進入して前記左右の係合片３０ａ、３０ｂに係合する雄爪２０とから構成されており、この雌雄爪１０、２０と袋本体部とをインフレーション方式やＴダイ方式により同時一体成形あるいは袋本体部と雌雄爪１０、２０を別個に成形し、しかる後に両者を一体化して合成樹脂製咬合具付袋体を得ることは一般的に行われている。
【０００３】
従来の雌爪１０は、その左右係合片３０ａ、３０ｂの先端部分は隙間６０を有しているため、袋体内の包入物が粉体や微粒体７０である場合、雌雄爪１０、２０の咬合を開放し粉体や微粒体７０を出し入れする際に粉体や微粒体７０が雌爪１０を通過する時に隙間６０から雌爪１０の懐である空間部５０に進入して空間部５０を粉体や微粒体７０が埋めて目詰まりを生じることや、図５で示すように、雌爪１０の左右係合片３０ａ、３０ｂ上に粉体や微粒体７０が堆積し、これを雄爪２０で雌爪１０の懐である空間部５０に押し込んで目詰まりが生じ、折角包入物の出し入れの際に開口部の開閉の容易性や密封性の便利な機能を有しているものの雌雄爪１０、２０の咬合を不能とする問題があった。
【特許文献１】実公昭３４−２０５２１号公報
【特許文献２】特公昭３８−２０９３９号公報
【発明の開示】
【発明が解決しようとする課題】
【０００４】
本発明は、粉体や微粒体により雌爪の懐である空間部の目詰まりが生じることを阻止した雌雄咬合型の合成樹脂製咬合具を提供することである。
【課題を解決するための手段】
【０００５】
上記の課題を解決するための本発明は、請求項１に記載の通り、左右に鈎部を備えた雄爪と、この雄爪の左右鈎部を係合するための左右係合片を備えた雌爪とからなり袋体の開口部を再開閉する合成樹脂製咬合具において、前記雌爪の左右係合片の先端部分が合わさるよう対接若しくはそれに近い状態で形成され、この左右係合片の前記雄爪側に対面する背面は窪みを形成しており、この窪みは前記雄爪の先端幅より広い幅を持たせていることを特徴とするものである。
【０００６】
請求項２に記載の通り、前記雄爪の先端角度Ａと、雌爪の窪みの角度Ｂとは、Ａ≦Ｂの角度関係としたものである。
【０００７】
請求項３に記載の通り、前記請求項１乃至２に記載の合成樹脂製咬合具において、雄爪の先端が雄爪の基部の幅範囲に位置し、かつ雌爪の左右係合片の先端部分が合わさるよう対接若しくはそれに近い状態で対面する部位は、雄爪の基部の幅範囲の延長線上に位置していることを特徴とするものである。
【発明の効果】
【０００８】
本発明によると、雌雄爪の咬合を開放した状態では、雌爪の左右係合片の先端部分は合わさるよう対接若しくはそれに近い状態となるため、雌爪の懐である空間部へ粉体や微粒体が進入することがなく、また、雌爪の左右係合片上に粉体や微粒体が堆積した状態で雄爪を雌爪に咬合させるときには、前記雌爪の左右係合片上に堆積している粉体や微粒体を掻き分けて左右係合片上から排除するため雌爪の懐である空間部へ粉体や微粒体を押し込むことが抑制され、雌雄爪の咬合を不能とする雌爪の懐である空間部の目詰まりが阻止され咬合機能を阻害する従来の咬合具における問題点を解消した効果を有している。
【発明を実施するための最良の形態】
【０００９】
以下本発明を実施するための最良の形態を図面に基づいて説明する。図１において１は雌爪であり、２は前記雌爪１と咬合する雄爪である。この雄爪２は左右に鈎部２ｃ、２ｄを備えており、この左右の鈎部２ｃ、２ｄと先端６との間にテーパ面２ａ、２ｂが形成されている。前記雌爪１は前記雄爪２の左右鈎部２ｃ、２ｄを係合するための左右係合片３ａ、３ｂを備えており、いわゆる懐と称している空間部５を有している。
【００１０】
本発明は、前記雌爪２の左右係合片３ａ、３ｂは、その先端部分４が合わさるよう対接若しくはそれに近い状態で形成され、この左右係合片３ａ、３ｂの前記雄爪２側に対面する背面３ｃ、３ｄは窪みを形成しており、この窪みは前記雄爪２の先端幅より広い幅を持たせた形態である。
【００１１】
前記雌爪１の左右係合片３ａ、３ｂによって形成する窪みは、若干の深さを持たせて雄爪２との咬合時における雄爪２の進入姿勢を安定化させる。さらに、雄爪２の形状と前記雌爪１の窪みは近似した形状とすることが好ましく、これによって、雄爪２と雌爪１の咬合のために雌爪１の左右係合片３ａ、３ｂを押し開き状態に導くための力が作用し易くなる。
【００１２】
前記左右係合片３ａ、３ｂの前記雄爪２側に対面する背面３ｃ、３ｄの窪みを前記雄爪２の先端幅より広い幅とすることによって、雄爪２は前記背面３ｃ、３ｄによる窪みに進入が可能となり、次いで雌爪１の左右係合片３ａ，３ｃを円滑に押し開いていくことができるものである。そして、雄爪２のテーパ面２ａ、２ｂがなす角度をＡとし、左右係合片３ａ、３ｂの背面３ｃ、３ｄの窪みの角度をＢとした場合、Ａ≦Ｂの角度関係とすることが好ましい。この角度関係により雌爪１の左右係合片３ａ、３ｂ上に粉体や微粒体が堆積した状態で雄爪２を雌爪１に咬合させるときに、前記雌爪１の左右係合片３ａ、３ｂ上に堆積している粉体や微粒体を左右掻き分けて左右係合片３ａ、３ｂ上から円滑に排除することができるのである。
【００１３】
さらに、雄爪２の先端６が雄爪２の基部７の幅Ｌの範囲に位置し、かつ雌爪１の左右係合片３ａ、３ｂの先端部分４が合わさるよう対接若しくはそれに近い状態で対面する部位は、雄爪２の基部７の幅Ｌの範囲の延長線上に位置していることが好ましい。これは、雌雄爪１、２の咬合の円滑性を確保するためである。
【００１４】
本発明は上記の通りの構造であるから、本発明の咬合具を開口部に備えた袋体に粉体や微粒体を出し入れするために雌雄爪１、２の咬合を開放すると左右係合片３ａ、３ｂは左右係合片３ａ、３ｂ自体が保有する弾性復元力で図２（Ａ）で示すように、雌爪１の左右係合片３ａ、３ｂの先端部分４が合わさるよう対接若しくはそれに近い状態となり、粉体や微粒体は雌爪１の懐である空間部５内に進入することなく雌爪１上を通過する。
【００１５】
また、雌爪１の左右係合片３ａ、３ｂの窪み上に粉体や微粒体が堆積している状態で雄爪２と雌爪１を咬合する時は図２（Ｂ）で示すように、雄爪２が雌爪１の左右係合片３ａ、３ｂをお押し開く段階では堆積している粉体や微粒体もわずかであり、特に雄爪２のテーパ面２ａ、２ｂがなす角度をＡとし、左右係合片３ａ、３ｂの背面３ｃ、３ｄの窪みの角度をＢとした場合、Ａ≦Ｂの角度関係とすることにより、雌爪１の左右係合片３ａ、３ｂ上に堆積している粉体や微粒体を左右に掻き分けて左右係合片３ａ、３ｂ上から円滑に排除するため図２（Ｃ）及び（Ｄ）で示すように、雌爪１の空間部５内に粉体や微粒体を押し込むことが抑制され雄爪２が雌爪１の空間部５内に進入して雄爪２の左右の鈎部２ｃ、２ｄが雌爪１の左右係合片３ａ、３ｂに係合して袋体の開口部を閉鎖するのである。
【００１６】
従って、本発明の咬合具では雌爪１の空間部５内に粉体や微粒体が進入して目詰まりが生じ咬合機能を阻害することがなくなり、袋体の開口部の密封性を確保する。なお、雌爪１の左右係合片３ａ、３ｂの先端部分４が合わさるよう対接若しくはそれに近い状態で対面する態様の何れを選択するかについては、包入物の径を考える必要がある。微細な包入物については前者が選択され、粒径のある包入物についてはどちらを選択しても良いものである。
【００１７】
本発明の咬合具の雌爪１の製造方法の一例を図３で説明する。図３（Ａ）で示すように、左右係合片３ａ、３ｂが繋がっている状態で金型により押し出し成形して固化する。次ぎに図３（Ｂ）で示すように、左右係合片３ａ、３ｂ側を押圧して扁平状とし、この状態で左右係合片３ａ、３ｂの中間部位を薄い刃物又はレーザ等で微小幅のスリット８を形成し左右係合片３ａ、３ｂを分断する。その後、左右係合片３ａ、３ｂ側の押圧を解除して扁平状から弾性復元することにより分断した左右係合片３ａ、３ｂの先端部分４が合わさるよう対接若しくはそれに近い状態で形成され本発明の咬合具の雌爪１が得られる。
【産業上の利用可能性】
【００１８】
本発明の咬合具は上記のような雌雄爪による咬合構成有するので包入物が粉体や微粒体の袋体に適しているが、粉体や微粒体以外の包入物を包入する袋体に適用することもできる。
【図面の簡単な説明】
【００１９】
【図１】本発明による咬合具の断面図
【図２】本発明による咬合具の作用説明図
【図３】本発明による咬合具の製造方法の一例の概略説明図
【図４】従来一般的な咬合具の断面図
【図５】従来一般的な咬合具による問題点を示す断面図
【符号の説明】
【００２０】
１      雌爪
２      雄爪
２ａ    左テーパ面
２ｂ    右テーパ面
２ｃ    左鈎部
２ｄ    右鈎部
３ａ    左係合片
３ｂ    右係合片
３ｃ    左係合片の背面
３ｄ    右係合片の背面
４      左右係合片の先端部分
５      空間部
６      雄爪の先端
７      雄爪の基部 
【図１】
2005270475.tif 000003
【図２】
2005270475.tif 000004
【図３】
2005270475.tif 000005
【図４】
2005270475.tif 000006
【図５】
2005270475.tif 000007